【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
対向する一対の液晶表示用基板を貼り合わせるために、基板の対向面に接着剤を塗布する接着剤塗布装置において、
液晶表示面を２重に囲むように閉曲線を形成し、外側に閉曲線を描いて基板に塗布された側の接着剤の横断面積が、内側に閉曲線を描いて基板に塗布された側の接着剤の横断面積よりも大となるように、基板への接着剤塗布が可能に構成されたことを特徴とする接着剤塗布装置。
【請求項２】
対向する一対の液晶表示用基板を貼り合わせるために、基板の対向面に接着剤を塗布する接着剤塗布装置において、
液晶表示面を囲む少なくとも３重の閉曲線が形成されるように、前記接着剤を塗布可能に構成されたことを特徴とする接着剤塗布装置。
【請求項３】
前記少なくとも３重の閉曲線が形成されるように塗布された接着剤は、外側に閉曲線を形成した側の横断面積が、より内側に閉曲線を形成した側の横断面積よりも大であることを特徴とする請求項２記載の接着剤塗布装置。
【請求項４】
前記少なくとも３重の閉曲線を形成した接着剤の間隔は、外側で隣接する閉曲線間の間隔が、より内側で隣接する間隔よりも広いことを特徴とする請求項２または３に記載の接着剤塗布装置。
【請求項５】
前記接着剤は、形成された閉曲線が、当該基板と他方の基板とが貼り合わされたとき、この他方の基板に塗布された接着剤と重なるように塗布されたことを特徴とする請求項１ないし４のうちのいずれか１項に記載の接着剤塗布装置。
【請求項６】
対向する一対の基板と、この一対の基板を貼り合わせるために、前記一対の基板間にあって、液晶表示面を２重に囲むように閉曲線を形成して基板面に塗布された接着剤とを有し、
前記接着剤は、外側に閉曲線を描いて塗布された側の横断面積が、内側に閉曲線を描いて塗布された側の横断面積よりも大となるように塗布されたことを特徴とする液晶表示パネル。
【請求項７】
対向する一対の基板と、
この一対の基板を接合するために、前記一対の基板間にあって、液晶表示面を囲む少なくとも３重の閉曲線が形成されるように基板面に塗布された接着剤と
からなることを特徴とする液晶表示パネル。
【請求項８】
前記少なくとも３重の閉曲線を形成するように塗布された接着剤は、外側に閉曲線を形成した側の横断面積が、より内側に閉曲線を形成した側の横断面積よりも大であることを特徴とする請求項７記載の液晶表示パネル。
【請求項９】
前記少なくとも３重の閉曲線を形成した接着剤の間隔は、外側で隣接する閉曲線間の間隔が、より内側で隣接する間隔よりも広いことを特徴とする請求項７または８に記載の液晶表示パネル。
【請求項１０】
前記接着剤は、形成された閉曲線が重なるように、対向する一対の基板の双方に塗布されたことを特徴とする請求項６ないし９のうちのいずれか１項に記載の液晶表示パネル。
【請求項１１】
対向する一対の基板を貼り合わせるために、液晶表示面を２重に囲む閉曲線を形成し、かつ外側の閉曲線の横断面積が内側の閉曲線の横断面積よりも大となるように接着剤を塗布可能な塗布手段と、
前記一対の基板の少なくともいずれか一方の基板の液晶表示面に液晶を塗布または滴下可能な手段と、
この手段で少なくともいずれか一方の基板に液晶が塗布または滴下され、かつ前記塗布手段で接着剤が塗布された前記一対の基板を真空雰囲気中で貼り合わせ可能な貼り合わせ手段と、
前記塗布手段で塗布された接着剤を硬化可能な硬化手段と
を具備することを特徴とする液晶表示パネルの製造装置。
【請求項１２】
対向する一対の基板を貼り合わせるために、液晶表示面を囲み、かつ隣接する間で間隔を有する少なくとも３重の閉曲線を形成するように接着剤を塗布可能な塗布手段と、
前記一対の基板の少なくともいずれか一方の基板の液晶表示面に液晶を塗布または滴下可能な手段と、
この手段で少なくともいずれか一方の基板に液晶が塗布または滴下され、かつ前記塗布手段で接着剤が塗布された前記一対の基板を真空雰囲気中で貼り合わせ可能な貼り合わせ手段と、
前記塗布手段で塗布された接着剤を硬化可能な硬化手段と
を具備することを特徴とする液晶表示パネルの製造装置。
【請求項１３】
対向する一対の基板を貼り合わせるために、液晶表示面を囲む２重の閉曲線を形成し、かつ外側の閉曲線の横断面積が内側の閉曲線の横断面積よりも大となるように接着剤を基板面に塗布する塗布工程と、
前記一対の基板の少なくともいずれか一方の基板の液晶表示面に液晶を塗布または滴下する工程と、
この工程で少なくともいずれか一方の基板に液晶が塗布または滴下され、かつ前記塗布工程で接着剤が塗布された前記一対の基板を真空雰囲気中で貼り合わせる貼り合わせ工程と、
この貼り合わせ工程の後に、基板面に塗布された前記接着剤を硬化させる硬化工程と
からなることを特徴とする液晶表示パネルの製造方法。
【請求項１４】
対向する一対の基板を接合するために、液晶表示面を囲む少なくとも３重の閉曲線を形成するように接着剤を基板面に塗布する塗布工程と、
前記一対の基板の少なくともいずれか一方の基板の液晶表示面に液晶を塗布または滴下する工程と、
この工程で少なくともいずれか一方の基板に液晶が塗布または滴下され、かつ前記塗布工程で接着剤が塗布された前記一対の基板を真空雰囲気中で貼り合わせる貼り合わせ工程と、
この貼り合わせ工程の後に、基板面に塗布された前記接着剤を硬化させる硬化工程と
からなることを特徴とする液晶表示パネルの製造方法。
【請求項１５】
前記塗布工程において、外側に閉曲線を形成した接着剤の横断面積が、より内側に閉曲線を形成した接着剤の横断面積よりも大であることを特徴とする請求項１４記載の液晶表示パネルの製造方法。
【請求項１６】
前記塗布工程において、少なくとも３重の閉曲線を形成した接着剤は、外側で隣接する閉曲線間の間隔が、より内側で隣接する閉曲線間の間隔よりも広くなるように基板に塗布されることを特徴とする請求項１４または１５に記載の液晶表示パネルの製造方法。
【請求項１７】
前記塗布工程において、前記接着剤は、形成された閉曲線が重なるように、対向する一対の基板の双方に塗布されることを特徴とする請求項１３ないし１６のうちのいずれか１項に記載の液晶表示パネルの製造方法。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】